(57)【特許請求の範囲】
【請求項１】
軟質で弾性変形可能なシリコーン樹脂又はウレタン樹脂その他のエラストマで形成された紐状の紐状部材（Ｓ）と、前記紐状部材（Ｓ）に取り付けられる装飾部（１００）とからなる着用者の身体の一部に装着可能な輪状の身飾品であって、
前記装飾部は、前記着用者の身体を装飾するための合成樹脂、金属、宝石、ガラス、貝、水晶、木及び鉱物から選択される一つ又はこれらの組み合わせからなる装飾部材（１２０、１３０）と、前記装飾部材を吊り下げることができる棒状の吊下軸（１１０）とからなり、
前記装飾部（１００）は、係合手段によって前記紐状部材（Ｓ）に揺動可能又は回転可能な状態に係合されており、
前記係合手段は、
前記吊下軸（１１０）の長手方向の両端に回転可能に取り付けられ、前記紐状部材（Ｓ）に比べて硬質な材料で形成された一対の係合雄部（１４０）と、
前記紐状部材（Ｓ）の長手方向の端部に形成され、前記紐状部材（Ｓ）の長手方向軸線上に形成され、所定の力で拡がる穴部（１１、１２）と、
前記穴部と略同一軸線上に前記穴部に隣接して形成され、前記穴部より大径な部分を有し、所定の力で拡がる係合雌部（１３）とからなり、
前記装飾部は、前記係合雄部（１４０）が前記穴部（１１、１２）を通り抜けた状態で前記係合雌部（１３）に収納されており、前記紐状部材（Ｓ）と係合状態となる
ことを特徴とする身飾品。
【請求項２】
請求項１に記載された身飾品において、
前記係合雌部（１３）は、前記係合雄部を収納できるように前記紐状部材（Ｓ）の内部に形成された収納空間であり、
前記係合雌部の内形寸法は、前記係合雄部の外形寸法と同一又は略同一に形成されている
ことを特徴とする身飾品。
【請求項３】
請求項２に記載された身飾品において、
前記係合雌部（１３）は、前記穴部に向かって径が拡がるように円錐体形状に形成され、
前記係合雄部（１４０）は、一端である先端部（１４０ａ）から他端である底部（１４０ｂ）にかけて径が拡がるように円錐体形状に形成されている
ことを特徴とする身飾品。
【請求項４】
請求項１ないし３のいずれか１項に記載された身飾品において、
前記穴部（１１、１２）は、略同軸で第１穴（１１）と、前記第１穴（１２）より小径の第２穴（２２）とからなり、
前記第１穴（１１）は、前記紐状部材（Ｓ）の長手方向の端部に形成され、
前記第２穴（１２）は、前記第１穴と前記係合雌部との間に形成されている
ことを特徴とする身飾品。
【請求項５】
請求項１ないし４のいずれか１項に記載された身飾品において、
前記吊下軸（１１０）の長手方向の端部には、前記吊下軸の外径より大径の頭部（１１１）が設けられ、
前記吊下軸（１１０）と前記頭部（１１１）との間には、前記吊下軸（１１０）の外径より小径な小径部（１１２）が設けられ、
前記係合雄部（１４０）は、前記小径部（１１２）に回転自在に係合されている
ことを特徴とする身飾品。
【請求項６】
請求項５に記載された身飾品において、
前記係合雄部（１４０）の内部には、所定の広さの揺動空間（１４０ｅ）が形成され、
前記吊下軸（１１０）は、前記頭部（１１１）を支点として前記揺動空間（１４０ｅ）内を揺れ動くように前記小径部に係合されている
ことを特徴とする身飾品。
【請求項７】
請求項５又は６に記載された身飾品において、
前記係合雄部（１４０）の先端部には、一又は複数の切欠（１４１）が形成されている
ことを特徴とする身飾品。
【請求項８】
請求項１ないし７のいずれか１項に記載された身飾品において、
前記吊下軸（１１０）及び前記係合雄部（１４０）は、一体成形により形成されている
ことを特徴とする身飾品。
【請求項９】
請求項１ないし８のいずれか１項に記載された身飾品において、
前記紐状部材（Ｓ）は、同一又は略同一の長さに形成された一対の本体（１０、２０）からなり、
前記一対の本体の長手方向の一端（１０ａ、２０ａ）には、前記本体を輪状に連結するための留具（３０）が設けられている
ことを特徴とする身飾品。
【発明の詳細な説明】
【技術分野】
【０００１】
本発明は、身体を装飾する身飾品に関する。更に詳しくは、揺れ動くように設けられた装飾物を備えた身飾品に関する。
【背景技術】
【０００２】
身飾品は、従来からさまざまな場面で使用されているものが知られている。身飾品は、身体につけ装飾するものであり、指輪、ネックレス、ブレスレット、アンクレット等種々なものがある。この身飾品の中には、宝石、樹脂、貴金属類等を装飾物としてつけた輪（リング）状のものなどがある。また、身飾品は、健康用品の一つとして磁力、マイナスイオンや遠赤外線等を放出させる磁石等を装飾物としてつけたものもある。この中でも、シリコーン身飾品は、その内部に宝石、樹脂、貴金属類等を入れたものが多い。
【０００３】
身飾品は、輪（リング）状の一部に台座を設けて、その台座に装飾物を取り付けるものがある。例えば、指輪には、台座が設けられ、これに宝石等が取り付けられている。また、首から吊り下げるペンダント等は、ペンダントヘッドが設けられ、これに宝石等が取り付けられている。このように、身飾品に取り付けられた装飾物は、身飾品の一部に取り付けられるため、身につけた時にひときわ映えて見える。
【０００４】
身飾品に設けられる装飾物は、ぶらぶらと揺れ動くように揺動可能に設けられている。装飾物は、揺動可能に設けられることで、装飾物の角度が変化する。このように、装飾物は、その角度が変化し、装飾物に反射する光の角度も様々に変化するためきらきら輝いて見える。また、スポーツ選手等は、自分の体調を知るために揺動可能な装飾物が設けられた身飾品を身についている。たとえば、スポーツ選手は、ランニング等の際に、身につけている身飾品が自分の体にぶつかるリズムを感じ、そのリズムから自分の体調を把握する。
【０００５】
一方、身飾品には、非常に高価な宝石等を備えたものでなくてもよいので、デザイン、美的センスが優れたもの、自分自身が気に入ったデザインのもの等を日々交換しながら楽しみたいという要求を持つ人もいる。そのためには、このような身飾品はあまり高価でなくほどほどの価格である必要がある。さらに、ブレスレットは、常時、肌に直接触れているものであるため、金属性のものでは、金属アレルギー等を発症する人もおり、材質等にたいへん注意が必要であった。また、着用者が、日常において腕等にはめているものであるので、はめている状態でほとんど違和感、重さ等を感じることがないようなもの、長期装着時にも擦過傷を防止することができるものが求められている。これらのことから、身飾品には、さまざまな提案がなされている。
【０００６】
この提案には、宝石類を中に入れた環状のシリコンゴムのブレスレットの考案がある（例えば、特許文献１）。また、用途や好みに応じて長さを自由に調節できると同時に、モチーフパーツを簡単に交換できる装飾用チェーンと、そのチェーンを構成することができるモチーフパーツと、そのチェーンの端部を留めるためのクラスプの考案があった（例えば、特許文献２）。さらに、使用者の好みやＴＰＯに応じた身飾品を表面に出して楽しく使用し、短期間に飽きて、使用されなくなるのを防止して経済的に使用することのできる身飾品の発明があった（例えば、特許文献３）。
【先行技術文献】
【特許文献】
【０００７】
【特許文献１】実用新案登録３１２８２７４号公報
【特許文献１】実用新案登録３０７９４５９号公報
【特許文献３】特開平０８−１７３２２２号公報
【発明の概要】
【発明が解決しようとする課題】
【０００８】
以上のように、従来から様々な身飾品が知られている。しかしながら、特許文献１に示された技術は、宝石類が、ブレスレットの中で固定されているため、単調な美感を与えるものであるという問題点があった。すなわち、このようなブレスレットの中に固定された宝石は、揺動することはなく、きらきら輝くこともないため単調な美感しか与えられず、身につける者がすぐに飽きてしまうという問題点があった。
【０００９】
また、特許文献２に示された技術は、モチーフ本体にメス型ジョイントを接着剤等で固定しなければならず、製造に手間がかかる上に、人体に影響をあたえかねないという問題点があった。さらに、特許文献３に示された技術は、金属で構成された身飾品であり長時間装着していると、違和感、重さ等を感じ、擦過傷が生じてしまうという問題点があった。
【００１０】
本発明は、このような社会的、技術的背景に基づいてなされたものであり、次のような目的を達成する。本発明の目的は、軟質素材で作成して肌をいためないとともに、揺動可能な装飾物を装飾できる身飾品を提供することにある。
【課題を解決するための手段】
【００１１】
本発明は、前記目的を達成するために次の手段をとる。
本発明１の身飾品は、軟質で弾性変形可能なシリコーン樹脂又はウレタン樹脂その他のエラストマで形成された紐状の紐状部材と、前記紐状部材に取り付けられる装飾部とからなる着用者の身体の一部に装着可能な輪状の身飾品であって、前記装飾部は、前記着用者の身体を装飾するための合成樹脂、金属、宝石、ガラス、貝、水晶、木及び鉱物から選択される一つ又はこれらの組み合わせからなる装飾部材と、前記装飾部材を吊り下げることができる棒状の吊下軸とからなり、前記装飾部は、係合手段によって前記紐状部材に揺動可能又は回転可能な状態に係合されており、前記係合手段は、前記吊下軸の長手方向の両端に回転可能に取り付けられ、前記紐状部材に比べて硬質な材料で形成された一対の係合雄部と、前記紐状部材の長手方向の端部に形成され、前記紐状部材の長手方向軸線上に形成され、所定の力で拡がる穴部と、前記穴部と略同一軸線上に前記穴部に隣接して形成され、前記穴部より大径な部分を有し、所定の力で拡がる係合雌部とからなり、前記装飾部は、前記係合雄部が前記穴部を通り抜けた状態で前記係合雌部に収納されており、前記紐状部材と係合状態となることを特徴とする。
【００１３】
本発明２の身飾品は、本発明１において、前記係合雌部は、前記係合雄部を収納できるように前記紐状部材の内部に形成された収納空間であり、前記係合雌部の内形寸法は、前記係合雄部の外形寸法と同一又は略同一に形成されていることを特徴とする。
【００１４】
本発明３の身飾品は、本発明２において、前記係合雌部は、穴部に向かって径が拡がるように円錐体形状に形成され、前記係合雄部は、一端である先端部から他端である底部にかけて径が拡がるように円錐体形状に形成されていることを特徴とする。
【００１５】
本発明４の身飾品は、本発明１ないし３のいずれかにおいて、前記穴部は、略同軸で第１穴と、前記第１穴より小径の第２の穴とからなり、前記第１穴は、前記紐状部材の長手方向の端部に形成され、前記第２穴は、前記第１穴と前記係合雌部との間に形成されていることを特徴とする。
【００１６】
本発明５の身飾品は、本発明１ないし４のいずれかにおいて、前記吊下軸の長手方向の端部には、前記吊下軸の外径より大径の頭部が設けられ、前記吊下軸と前記頭部との間には、前記吊下軸の外径より小径な小径部が設けられ、前記係合雄部は、前記小径部に回転自在に係合されていることを特徴とする。
【００１７】
本発明６の身飾品は、本発明５において、前記係合雄部の内部には、所定の広さの揺動空間が形成され、前記吊下軸は、前記頭部を支点として前記揺動空間内を揺れ動くように前記小径部に係合されていることを特徴とする。
【００１８】
本発明７の身飾品は、本発明５又は６において、前記係合雄部の先端部には、一又は複数の切欠が形成されていることを特徴とする。
【００１９】
本発明８の身飾品は、本発明１ないし７のいずれかにおいて、前記吊下軸及び前記係合雄部は、一体成形により形成されていることを特徴とする。
【００２２】
本発明９の身飾品は、本発明１ないし８のいずれかにおいて、前記紐状部材は、同一又は略同一の長さに形成された一対の本体からなり、前記一対の本体の長手方向の一端には、前記本体を輪状に連結するための留具が設けられていることを特徴とする。
【発明の効果】
【００２３】
本発明の身飾品は、軟質素材でできており、装着する人の肌を傷つけることがない。身飾品には、装飾物が揺動可能又は回転可能に設けられているため、見た目に美しく、飽きがこない。身飾品は、接着剤等を使用することなく、装飾物を取り付けることができるため、作業が簡易である。身飾品は、接着剤等を使用することなく、装飾物を取り付けているため、人体に与える影響も少ない。身飾品は、軟質の合成樹脂等で形成することにより、大量に生産することも可能であり、美的デザインに優れた装飾品が安価で提供することができる。さらに、健康用品等にも活用することができる。
【図面の簡単な説明】
【００２４】
【図１】図１は、本発明を適用したネックレスを連結した状態を示す外観図である。
【図２】図２は、非連結状態のネックレスの一部を断面にした一部正面図である。
【図３】図３は、ネックレスの吊下装飾部を第１本体につなげた状態を示す断面の拡大図である。
【図４】図４は、係合雄部に吊下軸を係合する状態を示す断面の拡大図である。
【図５】図５は、係合雌部に係合雄部を係合する状態を示す断面の拡大図である。
【発明を実施するための形態】
【００２５】
本発明の実施の形態を図面に基づいて詳細に説明する。
図１は、本発明を適用したネックレスを連結した状態を示す外観図、図２は、非連結状態のネックレスの一部を断面にした正面図、図３は、ネックレスの吊下装飾部を第１本体につなげた状態を示す断面の拡大図である。なお、この実施の形態では、身飾品のうち、着用者の首に巻いてぶらさげる輪状のネックレスで説明を行うが、身体を装飾する身飾品であれば他の身飾品であってもよいことはいうまでもない。
【００２６】
図１および図２に示すように、ネックレス１は、紐状部材Ｓ、留具３０、吊下装飾部１００とから構成されている。紐状部材Ｓは、着用者の身体の一部に装着するための部材であり、第１本体１０と第２本体２０とから構成されている。本実施の形態では、身飾品はネックレスであるため、紐状部材Ｓは、輪状にして首に巻いて装着するために用いられる。留具３０は、第１本体１０と第２本体２０とを輪状に連結するためのものである。留具３０は、凸状留具３１と凹状留具３２とから構成されている。吊下装飾部１００は、装飾品を吊り下げるためのものである。吊下装飾部１００は、吊下軸１１０、装飾樹脂体１２０、装飾金属体１３０及び係合雄部１４０とから構成されている。
【００２７】
第１本体１０及び第２本体２０は、軟質な弾性変形可能なシリコーン樹脂で形成されている。また、第１本体１０及び第２本体２０は、同一又は略同一の長さで形成された一対の部材である。なお、この実施の形態では、シリコーン樹脂で説明を行うが、軟質な弾性変形可能な材料、例えば軟質なウレタン樹脂等軟質な合成樹脂、エラストマ等で形成されたものであっても良い。
【００２８】
〔第１本体１０〕
図１及び２に示すように、第１本体１０は、紐状に、長手方向に延びた形状の中実体である。第１本体１０は、その一方の端部である一端１０ａに凸状留具３１を有し、他方の端部である他端１０ｂに吊下装飾部１００が連結されている。第２本体２０は、紐状に、長手方向に延びた形状の中実体のものである。第２本体２０は、その一方の端部である一端２０ａに凹状留具３２を有し、他方の端部である他端２０ｂに吊下装飾部１００が連結されている。第１本体１０及び第２本体２０は、長手方向に所定の長さ（例えば、２００〜３００ｍｍ）を有するように形成されている。なお、第１本体１０及び第２本体２０の長さは、装飾する身体箇所、巻き数等によって適宜決定されるものである。
【００２９】
第１本体１０及び第２本体２０は、長手方向に直交する面において断面視（以下、単に「断面視」という。）した場合には、略円形の、外径（例えば、３〜８ｍｍ）に形成されている。この外径も、装飾性などによって適宜決定されるものである。第１本体１０及び第２本体２０の表面側には、この製品、製造元、販売元等のロゴ、飾り等美的、デザイン的に優れたデザイン部を形成しても良い。このデザイン部は、所定の色彩で美的効果をもたせたものであってもよい。
【００３０】
図２に示すように、第１本体１０の一端１０ａには、凸状留具３１が設けられている。図３に示すように、第１本体１０の他端１０ｂには、吊下装飾部１００を連結するための、円孔の第１穴１１、円孔の第２穴１２及び円錐体形状の孔の係合雌部１３が形成されている。図２に示すように、第２本体２０の一端２０ａには、凹状留具３２が設けられており、他端２０ｂには、吊下装飾部１００を連結するための、第１穴、第２穴及び係合雌部が形成されている。
【００３１】
図３に示すように、他端１０ｂには、第１穴１１、第２穴１２及び係合雌部１３が、順番に形成されている。第１穴１１、第２穴１２及び係合雌部１３は、第１本体１０の長手方向同一中心線上又は略同一中心線上に形成されている。第１穴１１は、第１本体１０の他端１０ｂにおいて開口するように円柱形状に形成された穴である。第１穴１１の内径は、後述する係合雄部１４０の先端部１４０ａの外径より大きく形成されている。
【００３２】
〔第１穴１１〕
図３に示すように、第１穴１１の内径は、係合雄部１４０の底部１４０ｂの外径より小さく形成されている。第１穴１１の内径は、後述する吊下軸１１０の外径よりも大きく形成されている。本実施の形態において、第１穴１１の内径は、３．３ｍｍで形成されている。第１本体１０は、軟質な弾性変形可能なシリコーン樹脂からなるため、所定の力が加えられると第１穴１１は、その内径が拡がるように形成されている。
【００３３】
〔第２穴１２〕
図３に示すように、第２穴１２は、第１穴１１と隣り合わせになるように第１本体１０に形成された穴である。第２穴１２は、第１本体において第１穴１１より第１本体１０の一端１０ａ側に形成されている。第２穴１２は、第１穴１１より小径の円柱形状に形成されている。第２穴１２の内径は、後述する係合雄部１４０の先端部１４０ａの内径より大きく形成されている。
【００３４】
図３に示すように、第２穴１２の内径は、係合雄部１４０の底部１４０ｂの内径より小さく形成されている。第２穴１２の内径は、後述する吊下軸１１０の外径よりも大きく形成されている。本実施の形態において、第２穴１２の内径は、２ｍｍで形成されている。第１本体１０は、軟質な弾性変形可能なシリコーン樹脂からなるため、所定の力が加えられると第２穴１２は、その内径が拡がるように形成されている。
【００３５】
〔係合雌部１３〕
図３に示すように、係合雌部１３は、第２穴１２と隣り合わせになるように第１本体１０に形成された円錐体形状の穴である。係合雌部１３は、第２穴１２より第１本体１０の一端１０ａ側に形成されている。係合雌部１３は、一端１０ａ側より他端１０ｂ側にかけて内径が拡がるような円錐体形状に形成されている。係合雌部１３は、一端１０ａ側に留具側端部１３ａが形成されている。係合雌部１３は、第２穴１２側に穴側端部１３ｂが形成されている。留具側端部１３ａの内径は、穴側端部１３ｂの内径より小径になるように形成されている。即ち、係合雌部１３は、穴側端部１３ｂの内径から留具側端部１３ａの内径にかけて内径が小径化するようにテーパ状に形成されている。
【００３６】
図３に示すように、係合雌部１３は、留具側端部１３ａから穴側端部１３ｂにかけて径が拡がるように形成されている。留具側端部１３ａの内径は、頭部１１１の頭部先端部１１１ａの外径と同一又はやや大きめに形成されている。穴側端部１３ｂの内径は、第２穴１２の内径より大径に形成されている。穴側端部１３ｂの内径は、底部１４０ｂの外径と同一又はやや大きめに形成されている。
【００３７】
係合雌部１３の穴側端部１３ｂの内径は、後述する吊下軸１１０の外径よりも大径に形成されている。本実施の形態において、係合雌部１３の留具側端部１３ａの内径は、２ｍｍで形成されている。本実施の形態において、係合雌部１３の穴側端部１３ｂの内径は、５ｍｍで形成されている。係合雌部１３は、係合雄部１４０が係合すると共に収納できるように形成されている。係合雌部１３は、係合雄部１４０と頭部１１１とが組み合わされた状態と同一又はやや大きめの寸法になるように形成されている。第１本体１０は、軟質な弾性変形可能なシリコーン樹脂からなるため、所定の力が加えられると係合雌部１３は、その径が拡がるように形成されている。
【００３８】
〔第２本体２０〕
第２本体２０は、第１本体１０と同様の部材で構成でされている。また、第２本体２０は、第１本体１０と同様の寸法で構成されている。このように、第１本体１０と第２本体２０とは一対をなしており、他に留具３０及び吊下装飾部１００と組み合わせられることでネックレス１を構成している。
【００３９】
〔留具３０〕
図１に示すように、留具３０は、第１本体１０と第２本体２０とを輪状に連結するための部材であり、凸状留具３１と凹状留具３２とからなる。図２に示すように、凸状留具３１は、第１本体１０の一端１０ａに設けられ先端が略球形の凸形状部３１ｍを有している。凹状留具３２は、第２本体２０の一端２０ａに設けられ連結部分が穴の凹形状部３２ｆを有している。留具３０は、凸形状部３１ｍと凹形状部３１ｆが、相互に、係脱可能に係合できるようになっている。留具３０は、凹状留具３２、凸状留具３１の少なくともどちらか一方が、軟質のシリコーン樹脂で成形され弾性変形するため、容易に係脱可能に係合できるようになっている。
【００４０】
本実施の形態において、凸状留具３１は、第１本体１０と別々に製造した後取付けているが、第１本体１０と一体的に構成しても良い。凹状留具３２は、第２本体２０と別々に製造した後取付けているが、第２本体２０と一体的に構成しても良い。また、留具３０は、例えば、磁石やフック等の他の連結構成により連結できるようにしても良い。
【００４１】
〔吊下装飾部１００〕
図２及び３に従って、吊下装飾部１００の説明を行う。吊下装飾部１００は、ネックレス１において、装飾物等を吊り下げる部材である。ネックレス１は、吊下装飾部１００を第１本体１０と第２本体２０に連結することで構成されている。吊下装飾部１００は、吊下軸１１０、装飾樹脂体１２０、装飾金属体１３０及び係合雄部１４０から構成されている。吊下装飾部１００は、ネックレス１を身につけたときに胸元を飾るような位置に設けられる。
【００４２】
〔吊下軸１１０〕
図２及び３に示すように、吊下軸１１０は、長手方向に延びた棒状の中実体であり、その両端に頭部１１１が形成されている。吊下軸１１０と２つの頭部１１１との間には、小径部１１２が、形成されている。吊下軸１１０、頭部１１１及び小径部１１２は、一体に形成されている。吊下軸１１０、頭部１１１及び小径部１１２は、同軸又は略同軸に形成されている。吊下軸１１０の両端には、頭部１１１及び小径部１１２がそれぞれ設けられ全体で例えば、４４ｍｍの長さを有するように形成されている。
【００４３】
吊下軸１１０、頭部１１１及び小径部１１２は、第１本体１０及び第２本体２０より硬質なナイロン樹脂で形成されている。吊下軸１１０、頭部１１１及び小径部１１２は、第１本体１０及び第２本体２０より硬質な部材であれば、他の部材でも良く、例えばＡＢＳ、ポリカーボネート、ポリプロピレン等の樹脂であっても良い。
【００４４】
吊下軸１１０は、長手方向に所定の長さ（例えば、４０ｍｍ）を有するように形成されている。吊下軸１１０は、所定の力が加えられると撓むように形成されている。なお、吊下軸１１０の長さは、吊り下げる装飾物の数や大きさ等によって適宜決定されるものである。吊下軸１１０は、長手方向に直交する面において断面視した場合には、略円形の、外径（例えば、１．２ｍｍ）に形成されている。この外径は、装飾性等によって適宜決定されるものである。
【００４５】
〔頭部１１１〕
図２及び図３に示すように、吊下軸１１０の両方の端部には、頭部１１１が設けられている。なお、頭部１１１においては、頭部１１１から吊下軸１１０側方向を軸側とし、その反対側を先端側として説明する。頭部１１１は、長手方向に所定の長さ（例えば、１．２ｍｍ）を有するように形成されている。頭部１１１は、先端側から軸側にかけて径が拡がるような円錐体形状に形成されている。頭部１１１は、先端側に平面状の頭部先端部１１１ａが形成されている。頭部１１１は、軸側に平面状の頭部軸側部１１１ｂが形成されている。
【００４６】
頭部先端部１１１ａの外径は、頭部軸側部１１１ｂの外径より小径になるように形成されている。頭部先端部１１１ａの外径は、先端部１４０ａの内径と同一又はやや小さめに形成されている。頭部先端部１１１ａの外径は、留具側端部１３ａの内径と同一又はやや小さめに形成されている。頭部軸側部１１１ｂの外径は、先端部１４０ａの内径より大径に形成されている。頭部軸側部１１１ｂの外径は、吊下軸１１０の外径より大径に形成されている。本実施の形態において、頭部先端部１１１ａの外径は、０．８ｍｍに形成され、頭部軸側部１１１ｂの外径は、１．４ｍｍに形成されている。
【００４７】
〔小径部１１２〕
図３に示すように、吊下軸１１０と頭部１１１の間には、小径部１１２が設けられている。小径部１１２の外径は、吊下軸１１０の外径より小径に形成されている。小径部１１２の外径は、頭部軸側部１１１ｂの外径より小径に形成されている。小径部１１２は、長手方向に所定の長さ（例えば、０．８ｍｍ）を有するように形成されている。なお、小径部１１２の長さは、用途に応じて適宜決定されるものである。小径部１１２は、長手方向に直交する面において断面視した場合には、略円形の、外径（例えば、０．８ｍｍ）に形成されている。小径部１１２の外径は、係合雄部１４０の先端部１４０ａの内径と同一又はやや小さめに形成されている。
【００４８】
〔装飾樹脂体１２０〕
装飾樹脂体１２０は、ネックレス１を身につけた時に胸元を飾るために設けられた装飾物である。装飾樹脂体１２０は、ミラブル型のシリコーン等の材料の合成樹脂が使用される。装飾樹脂体１２０は、さまざまな色や模様のものが使用される。装飾樹脂体１２０の色や模様は、材料に単一色の顔料を混ぜたものを成形したり、複数の顔料を混ぜたものを組み合わせることにより成形されている。また、装飾樹脂体１２０には、他の部材、例えば金属粉、宝石又はビーズなどを練り込むことにより成形しても良い。
【００４９】
装飾樹脂体１２０は、吊下軸１１０を挿通させるための挿通孔１２０ｈが形成された球体である。挿通孔１２０ｈの内径は、吊下軸１１０の外径より大径に形成されている。装飾樹脂体１２０は、挿通孔１２０ｈの内径が、吊下軸１１０の外径より大径に形成されているため、吊下軸１１０に対して回転可能に吊り下げられている。なお、装飾樹脂体は１２０は、球体で説明をしたが、吊下軸１１０に吊り下げられる形態であれば、他の形態でも良いことはいうまでもない。
【００５０】
〔装飾金属体１３０〕
装飾金属体１３０は、ネックレス１を身につけた時に胸元を飾るために設けられた装飾物である。装飾金属体１３０は、鉄、金、銀、銅、ステンレス等の材料の金属が使用される。装飾金属体１３０は、さまざまな色や模様のものが使用される。装飾金属体１３０は、吊下軸１１０を挿通させるための挿通孔１３０ｈが形成された球体である。挿通孔１３０ｈの内径は、吊下軸１１０の外径より大径に形成されている。装飾金属体１３０は、挿通孔１３０ｈの内径が、吊下軸１１０の外径より大径に形成されているため、吊下軸１１０に対して回転可能に吊り下げられている。なお、装飾金属体１３０は、球体で説明をしたが、吊下軸１１０に吊り下げられる形態であれば、他の形態でも良いことはいうまでもない。
【００５１】
〔係合雄部１４０〕
図３に示すように、係合雄部１４０は、中空の円錐体形状に形成されている。係合雄部１４０は、第１本体１０及び第２本体２０より硬質なナイロン樹脂で形成されている。係合雄部１４０は、吊下軸１１０、頭部１１１及び小径部１１２と同様の部材で構成されている。なお、係合雄部１４０は、第１本体１０及び第２本体２０より硬質なナイロン樹脂よ硬質な部材であれば、他の部材でも良く、例えばＡＢＳ、ポリカーボネート、ポリプロピレン等の樹脂であっても良い。なお、本実施の形態において、係合雄部１４０は、吊下軸１１０、頭部１１１及び小径部１１２と一体成形により製造されたものである。
【００５２】
係合雄部１４０は、一端が環状に形成された先端部１４０ａからなり、他端が環状に形成された底部１４０ｂからなる。先端部１４０ａの内径は、底部１４０ｂの内径に比べ小径に形成されている。先端部１４０ａの外径は、底部１４０ｂの外径に比べ小径に形成されている。係合雄部１４０は、底部１４０ｂの外径から先端部１４０ａの外径にかけて外径が小径化するようにテーパ状に形成されたテーパ状外面１４０ｃが形成されている。
【００５３】
係合雄部１４０は、底部１４０ｂの内径から先端部１４０ａの内径にかけて内径が小径化するようにテーパ状に形成されたテーパ状内面１４０ｄが形成されている。係合雄部１４０は、その内部に円錐体形状の揺動空間１４０ｅが形成されている。先端部１４０ａの内径は、頭部先端部１１１ａの外径と同一又はやや小さめに形成されている。
【００５４】
先端部１４０ａの内径は、頭部軸側部１１１ｂの外径より小さく形成されている。先端部１４０ａの内径は、小径部１１２の外径と同一又はやや大きめに形成されている。先端部１４０ａの内径は、吊下軸１１０の外径より小さく形成されている。先端部１４０ａの外径は、第１穴１１の内径より小さく形成されている。先端部１４０ａの外径は、第２穴１２の内径より小さく形成されている。
【００５５】
底部１４０ｂの外径は、第１穴１１の内径より大きく形成されている。底部１４０ｂの外径は、第２穴１２の内径より大きく形成されている。底部１４０ｂの外径は、穴側端部１３ｂの内径と同一又はやや小さめに形成されている。本実施の形態において、先端部１４０ａの外径は、２．０ｍｍに形成され、先端部１４０ａの内径は、０．８ｍｍに形成されている。本実施の形態において、底部１４０ｂの外径は、５．０ｍｍに形成され、底部１４０ｂの内径は、３．０ｍｍに形成されている。
【００５６】
〔切欠１４１〕
図２に示すように、先端部１４０ａには、切欠１４１が設けられている。本実施の形態において切欠１４１は、先端部１４０ａに３つ設けられている。切欠１４１は、先端部１４０ａ側から１４０ｂ側に向かうように、先端部を切り欠いて形成されている。先端部１４０ａは、切欠１４１が形成されていることにより、所定以上の力で押圧すると径が拡がる。なお、先端部１４０ａに設けられる切欠は、３つに限らず、寸法や機能に応じて一又は複数形成されても良いことはいうまでもない。
【００５７】
〔吊下装飾部組み合わせ方法〕
次に、図４に従い、吊下装飾部１００を組み合わせる方法について説明する。図４（ａ）に示すように、まず、一方の頭部１１１を係合雄部１４０の底部１４０ｂ側から通す。頭部１１１は、係合雄部１４０の内部から先端部１４０ａに当接される。本実施の形態において、頭部先端部１１１ａの外径は、先端部１４０ａの内径と同一又はやや小さめに形成されているので、先端部１４０ａより頭部先端部１１１ａが突き出した状態で当接されている。
【００５８】
図４（ｂ）に示すように、頭部１１１を所定の以上の力で先端部１４０ａに押圧すると、先端部１４０ａの内径が徐々に拡がる。先端部１４０ａは、切欠１４１が形成されていることにより、所定の以上の力で頭部１１１を押圧すると径が拡がる。図４（ｃ）に示すように、頭部１１１が、先端部１４０ａの内径を通り抜けると、拡がった先端部１４０ａの内径は、元の大きさに戻る。本実施の形態において、先端部１４０ａの内径は、頭部軸側部１１１ｂや吊下軸１１０の外径より小径であり、小径部１１２の外径と同一である。このため、先端部１４０ａは、小径部１１２に係合する。
【００５９】
図４（ｄ）に示すように、吊下軸１１０には、装飾樹脂体１２０と２つの装飾金属体１３０が挿通される。吊下軸１１０に装飾樹脂体１２０と装飾金属体１３０を挿通させた後に他方の頭部から他の係合雄部１４０を通す。図４（ｅ）に示すように、他方の頭部にも、係合雄部１４０が通されて、先端部１４０ａが小径部に係合される。吊下装飾部１００は、吊下軸１１０に装飾樹脂体１２０と装飾金属体１３０が挿通し、吊下軸１１０の両端に係合雄部１４０が係合されることでできあがる。
【００６０】
図２に示すように、本実施の形態において、係合雄部１４０は、その先端部１４０ａの内径が小径部１１２の外径と同一に形成されている。このため、係合雄部１４０は、吊下軸１１０の両端において回転可能に係合されている。係合雄部１４０は、その先端部１４０ａの内径が、頭部軸側部１１１ｂと吊下軸１１０の外径より小径に形成されている。このため、係合雄部１４０は、吊下軸１１０の両端において小径部１１２の長手方向の所定の長さの分だけ長手方向に移動可能である。このように、係合雄部１４０は、吊下軸１１０の両端において回転可能であり、吊下軸１１０の両端において長手方向に移動可能に形成されている。係合雄部１４０は、吊下軸１１０の両端において遊びがある状態で係合されている。
【００６１】
吊下軸１１０は、両端に係合された係合雄部１４０に対して回転可能に設けられている。吊下軸１１０は、頭部１１１を略中心として揺れ動くように係合雄部１４０と係合されている。吊下軸１１０は、頭部１１１を略中心として係合雄部１４０内の揺動空間１４０ｅ内で揺れ動くことができる。吊下軸１１０は、係合雄部１４０のテーパ状内面１４０ｄに沿うことができる範囲内で揺れ動くことができる。
【００６２】
〔ネックレス組み合わせ方法〕
次に、図５に従い、ネックレスを組み合わせる方法１について説明する。図５（ａ）に示すように、吊下装飾部１００の一方の端部に係合された係合雄部１４０を第１本体１０の第１穴１１側から通す。さらに、この係合雄部１４０を、第２穴１２へ通す。係合雄部１４０のテーパ状外面１４０ｃは、第２穴１２の内径に当接される。本実施の形態において、頭部先端部１１１ａと先端部１４０ａの外径は、第１穴１１の内径と第２穴１２の内径より小径である。図５（ａ）に示すように、テーパ状外面１４０ｃが第２穴１２の内径に当接された状態のとき、頭部先端部１１１ａと先端部１４０ａとは、第２穴より係合雌部１３側に突き出した状態に位置する。
【００６３】
図５（ｂ）に示すように、係合雄部１４０を所定の以上の力で係合雌部１３側に押圧すると、第１穴１１及び第２穴１２の内径が徐々に拡がる。この状態で、係合雄部１４０を押圧すると、係合雌部１３の内径も徐々に拡がる。更に、係合雄部１４０を押圧すると、図５（ｃ）に示すように、頭部１１１と係合雄部１４０が、第１穴１１と第２穴１２の内径を通り抜け、係合雄部１４０は、係合雌部１３に収納される。頭部１１１と係合雄部１４０が、第１穴１１と第２穴１２の内径を通り抜けて係合雌部１３に収納されると、拡がった第１穴１１、第２穴１２及び係合雌部１３の内径は、元の大きさに戻る。
【００６４】
図５（ｃ）に示すように、第２穴１２の内径は、係合雄部１４０の底部１４０ｂより小径である。このため、係合雄部１４０は、係合雌部１３に収納されるとともに係合される。係合雌部１３は、係合雄部１４０と頭部１１１とが組み合わされた状態と同一又はやや大きめの寸法になるように形成されている。このように、係合雄部１４０と係合雌部１３係合した状態になると、吊下装飾部１００と第１本体１０とが係合する係合状態が維持される。
【００６５】
図５（ｄ）に示すように、他方の係合雄部も第２本体２０の係合雌部に収納されるとともに係合される。このように、他方の係合雄部と第２本体２０の係合雌部を係合した状態になると、吊下装飾部１００と第２本体２０とが係合する係合状態が維持される。吊下装飾部１００が第１本体１０と第２本体２０とに係合されることによりネックレス１が完成する（図１又は２参照）。
【００６６】
このように構成されたネックレス１は、シリコーン等の軟質素材でできており、装着する人の肌を傷つけることがない。ネックレス１には、装飾物として装飾樹脂体や装飾金属体が揺動可能又は回転可能に設けられているため、見た目に美しく、飽きがこない。ネックレス１は、接着剤等を使用することなく、装飾物を取り付けることができるため、作業が簡易である。ネックレス１は、接着剤等を使用することなく、装飾物を取り付けているため、人体に与える影響も少ない。ネックレス１は、軟質の合成樹脂等で形成することにより、大量に生産することも可能であり、美的デザインに優れた装飾品が安価で提供することができる。さらに、健康用品等にも活用することができる。
【００６７】
〔他の組み合わせ方法〕
次に、ネックレス１を組み合わせる他の組み合わせ方法について説明する。
前述した吊下装飾部組み合わせ方法と、ネックレス組み合わせ方法においては、まず、吊下装飾部１００を組み合わせてから、ネックレス１に組み合わせている。他の組み合わせ方法においては、吊下装飾部１００を組み合わせることなく、ネックレス１を組み合わせることができる。
【００６８】
具体的に説明すると、一の係合雄部１４０を、第１本体１０の第１穴１１側と第２穴１２へ通す。係合雄部１４０を所定の以上の力で係合雌部１３側に押圧すると、係合雄部１４０は、係合雌部１３に収納される。同様に、他の係合雄部を第２本体２０の係合雌部に収納する。このように、あらかじめ、２つの係合雄部を係合雌部に収納した状態にする。
【００６９】
次に、吊下軸１１０に、装飾樹脂体１２０と２つの装飾金属体１３０を挿通する。この状態で、吊下軸１１０の一方の頭部１１１を、第１本体１０の係合雌部１３に収納された係合雄部１４０の底部１４０ｂ側から通す。第１本体１０に収納された係合雄部１４０の先端部１４０ａは、小径部１１２に係合する。吊下軸１１０の他方の頭部１１１を、第２本体２０の係合雌部１３に収納された係合雄部１４０の底部１４０ｂ側から通す。第２本体２０に収納された係合雄部１４０の先端部１４０ａは、小径部１１２に係合する。このように、吊下装飾部１００を構成することなく、ネックレス１が完成する（図１又は２参照）。
【００７０】
以上、本発明の身飾品の実施の形態の説明を行ったが、本発明は、この実施の形態に限定されることはない。本発明の目的、趣旨を逸脱しない範囲内で変更ができることはいうまでもない。例えば、本実施の形態では、テーパ状外面１４０ｃは、断面視した状態で傾斜されて形成されているが、断面視した状態で円弧又は放物線等の面に形成されても良い。テーパ状内面１４０ｄは、断面視した状態で傾斜されて形成されているが、断面視した状態で円弧又は放物線等の面に形成されても良い。
【００７１】
本実施の形態では、装飾物としては、装飾樹脂体、装飾金属体を用いているが、これに限定されなくても良いことはいうまでもない。例えば、装飾物としては、合成樹脂、金属、宝石、ガラス、貝、水晶、木、鉱物等から選択される一つ又はこれらの組み合わせであっても良いことはいうまでもない。例えば、板状にした金属に宝石を嵌め込んで揺動自在に吊下軸に吊り下げても良いことはいうまでもない。
【００７２】
また、本実施の形態では、装飾物は、吊下軸１１０に吊り下げられているが、これに限定されなくても良いことはいうまでもない。例えば、装飾物を吊下軸１１０に引っ掛けたものや、装飾物に吊下軸１１０を挿通させたもの等でも良いことはいうまでもない。さらに、この実施の形態では、留具３０を用いたネックレスで説明しているが、留具を用いないブレスレットなどであっても良いことは、いうまでもない。
【符号の説明】
【００７３】
１  …  ネックレス
１０  …  第１本体
１１  …  穴部
１２  …  穴部
１３  …  係合雌部
２０  …  第２本体
３０  …  留具
１００  …  吊下装飾部
１１０  …  吊下軸
１２０  …  装飾樹脂体
１３０  …  装飾金属体
１４０  …  係合雄部
【図１】
0006017145.tif 000002
【図２】
0006017145.tif 000003
【図３】
0006017145.tif 000004
【図４】
0006017145.tif 000005
【図５】
0006017145.tif 000006